【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
シートにトナー像を形成する画像形成部と、
前記画像形成部によりシート上に形成されたトナー像を加熱定着する定着部と、
前記定着部を経て排出される複数のシートを積載可能な排出部と、
シートに形成されるトナー像の単位面積当たりの最大トナー載り量に対応する情報を取得する取得部と、
前記取得部が取得した情報に基づいて単位時間当たりの画像形成枚数を制御するコントローラと、を有し、
下記において、Ｌ、Ｍ、Ｎは自然数であり、Ｌ＜Ｍ＜Ｎを満たし、
１）前記排出部に積載されるべきシートの枚数がＮ枚であって、単位面積当たりの最大トナー載り量が第１の量であるトナー像を前記Ｎ枚のシートのそれぞれに形成する第１の画像形成ジョブが実行される場合、前記コントローラは、前記第１の画像形成ジョブの途中であるＬ枚目からＭ枚目の期間において単位時間当たりの画像形成枚数を第１の枚数で実行し、
２）前記排出部に積載されるべきシートの枚数が前記Ｎ枚であって、単位面積当たりの最大トナー載り量が前記第１の量より多い第２の量であるトナー像を前記Ｎ枚のシートのそれぞれに形成する第２の画像形成ジョブが実行される場合、前記コントローラは、前記第２の画像形成ジョブの途中である前記Ｌ枚目から前記Ｍ枚目の期間において単位時間当たりの画像形成枚数を前記第１の枚数より少ない第２の枚数で実行する
ことを特徴とする画像形成装置。
【請求項２】
前記第２の画像形成ジョブが実行される場合、前記コントローラは、１枚目から前記Ｌ−１枚目の期間において、単位時間当たりの画像形成枚数を前記第２の枚数より多い枚数で実行することを特徴とする請求項１に記載の画像形成装置。
【請求項３】
前記第２の画像形成ジョブが実行される場合、前記コントローラは、前記Ｍ＋１枚目からＮ枚目の期間において、単位時間当たりの画像形成枚数を前記第２の枚数より多い枚数で実行することを特徴とする請求項１に記載の画像形成装置。
【請求項４】
前記第１の画像形成ジョブが実行される場合、前記コントローラは、１枚目からＮ枚目の期間において、単位時間当たりの画像形成枚数を前記第１の枚数で実行することを特徴とする請求項１に記載の画像形成装置。
【請求項５】
下記において、Ｋは自然数であり、Ｌ＜Ｍ＜Ｋ＜Ｎを満たし、前記排出部に積載されるべきシートの枚数が前記Ｎ枚より少ないＫ枚であって、単位面積当たりの最大トナー載り量が前記第２の量であるトナー像を前記Ｋ枚のシートのそれぞれに形成する形成する第３の画像形成ジョブが実行される場合、前記コントローラは、前記第３の画像形成ジョブの途中である前記Ｌ枚目から前記Ｍ枚目の期間において、単位時間当たりの画像形成枚数を前記第２の枚数より多い枚数で実行することを特徴とする請求項１乃至４の何れか一項に記載の画像形成装置。
【請求項６】
前記排出部に積載されるべきシートの枚数を取得する第２の取得部をさらに有することを特徴とする請求項１乃至５の何れか一項に記載の画像形成装置。
【請求項７】
シートにトナー像を形成する画像形成部と、
前記画像形成部によりシート上に形成されたトナー像を加熱定着する定着部と、
前記定着部を経て排出されるシートを複数枚重ねて積載可能な排出部と、
シートに形成されるトナー像の単位面積当たりの最大トナー載り量に対応する情報を取得する取得部と、
前記取得部が取得した情報に基づいて単位時間当たりの画像形成枚数を制御するコントローラと、を有し、
下記において、Ｎは自然数であり、
１）前記排出部に積載されるべきシートの枚数がＮ枚であって、単位面積当たりの最大トナー載り量が第１の量であるトナー像を前記Ｎ枚のシートのそれぞれに形成する第１の画像形成ジョブが実行される場合、前記コントローラは、単位時間当たりの画像形成枚数を第１の枚数で前記第１の画像形成ジョブを実行し、
２）前記排出部に積載されるべきシートの枚数が前記Ｎ枚であって、単位面積当たりの最大トナー載り量が前記第１の量より多い第２の量であるトナー像を前記Ｎ枚のシートのそれぞれに形成する第２の画像形成ジョブが実行される場合、前記コントローラは、単位時間当たりの画像形成枚数を前記第１の枚数より少ない第２の枚数で前記第２の画像形成ジョブを実行する
ことを特徴とする画像形成装置。
【請求項８】
シートにトナー像を形成する画像形成部と、
前記画像形成部によりシート上に形成されたトナー像を加熱定着する定着部と、
前記定着部を経て排出されるシートを複数枚重ねて積載可能な排出部と、
シートに形成されるトナー像の単位面積当たりの最大トナー載り量に対応する情報を取得する取得部と、
前記取得部が取得した情報に基づいて単位時間当たりの画像形成枚数を制御するコントローラと、を有し、
１）単位面積当たりの最大トナー載り量が第１の量であるトナー像を複数枚の記録紙のそれぞれに形成して前記排出部に排出する第１の画像形成ジョブを単位時間当たりの画像形成枚数が第１の枚数となるように実行している場合において、前記排出部に積載されたシートの枚数が第１の積載枚数に達した場合、前記コントローラは、前記第１の画像形成ジョブにおける単位時間当たりの画像形成枚数を低減させ、
２）単位面積当たりの最大トナー載り量が前記第１の量より少ない第２の量であるトナー像を複数枚のシートのそれぞれに形成して前記排出部に排出する第２の画像形成ジョブを単位時間当たりの画像形成枚数が前記第１の枚数となるように実行している場合において、前記排出部への積載枚数が前記第１の積載枚数に達した場合、前記コントローラは、前記第２の画像形成ジョブにおける単位時間当たりの画像形成枚数を低減させない
ことを特徴とする画像形成装置。
【請求項９】
前記排出部に積載されているシートの枚数を検知する検知部と、を有し、
前記コントローラは、前記検知部の出力に基づき単位時間当たりの画像形成枚数を制御することを特徴とする請求項８に記載の画像形成装置。
【手続補正２】
【補正対象書類名】明細書
【補正対象項目名】０００１
【補正方法】変更
【補正の内容】
【０００１】
本発明は、シートにトナー像を形成する画像形成装置に関する。
【手続補正３】
【補正対象書類名】明細書
【補正対象項目名】０００２
【補正方法】変更
【補正の内容】
【０００２】
電子写真方式等を採用した複写機、プリンタ、ファクシミリ、あるいはこれらの機能を兼ね備えた複合機等の画像形成装置は、帯電、露光、現像、転写といった画像形成プロセスにより記録紙（シート）上に未定着トナー像を形成する。そして、定着装置によって加熱加圧処理を施すことで、記録紙上の未定着トナー像を溶融定着している。
【手続補正４】
【補正対象書類名】明細書
【補正対象項目名】０００４
【補正方法】変更
【補正の内容】
【０００４】
しかしながら、上記条件で記録紙上にトナーを熱定着し、記録紙の排紙部（排出部）において積載していくと、定着装置を出た未だ高温の記録材が多量にかつ同じ場所に順次積載されるため、定着後の記録紙上のトナーが排紙部で高温に保たれてしまう。
【手続補正５】
【補正対象書類名】明細書
【補正対象項目名】００１３
【補正方法】変更
【補正の内容】
【００１３】
そこで本発明では、生産性の低下を抑制しつつ、排出部に積載されたシート同士の貼り付きを抑制する画像形成装置を提供することを目的とする。
【手続補正６】
【補正対象書類名】明細書
【補正対象項目名】００１４
【補正方法】変更
【補正の内容】
【００１４】
上記の目的を達成するための本発明に係る画像形成装置の代表的な構成は、シートにトナー像を形成する画像形成部と、
前記画像形成部によりシート上に形成されたトナー像を加熱定着する定着部と、
前記定着部を経て排出される複数のシートを積載可能な排出部と、
シートに形成されるトナー像の単位面積当たりの最大トナー載り量に対応する情報を取得する取得部と、
前記取得部が取得した情報に基づいて単位時間当たりの画像形成枚数を制御するコントローラと、を有し、
下記において、Ｌ、Ｍ、Ｎは自然数であり、Ｌ＜Ｍ＜Ｎを満たし、
１）前記排出部に積載されるべきシートの枚数がＮ枚であって、単位面積当たりの最大トナー載り量が第１の量であるトナー像を前記Ｎ枚のシートのそれぞれに形成する第１の画像形成ジョブが実行される場合、前記コントローラは、前記第１の画像形成ジョブの途中であるＬ枚目からＭ枚目の期間において単位時間当たりの画像形成枚数を第１の枚数で実行し、
２）前記排出部に積載されるべきシートの枚数が前記Ｎ枚であって、単位面積当たりの最大トナー載り量が前記第１の量より多い第２の量であるトナー像を前記Ｎ枚のシートのそれぞれに形成する第２の画像形成ジョブが実行される場合、前記コントローラは、前記第２の画像形成ジョブの途中である前記Ｌ枚目から前記Ｍ枚目の期間において単位時間当たりの画像形成枚数を前記第１の枚数より少ない第２の枚数で実行する
ことを特徴とする。
【手続補正７】
【補正対象書類名】明細書
【補正対象項目名】００１５
【補正方法】変更
【補正の内容】
【００１５】
本発明によれば、生産性の低下を抑制しつつ、排出部に積載されたシート同士の貼り付きを抑制する画像形成装置を提供することができる。
【手続補正８】
【補正対象書類名】明細書
【補正対象項目名】００１８
【補正方法】変更
【補正の内容】
【００１８】
［画像形成装置］
図２は本実施形態における画像形成装置１の断面模式図である。この画像形成装置１は、タンデム方式−中間転写方式のフルカラーレーザープリンタ（デジタルプリンタ：以下、プリンタと記す）である。このプリンタ１はコンピュータ等の外部データ送信装置（以下、ネットワーク部と記す）１０１からコントローラ部１００に入力したプリントジョブに対応した画像形成動作（プリント動作）をする。その画像形成動作により記録紙（シート、記録材）Ｐにフルカラー若しくはモノカラーのトナー像を形成した画像形成物をプリントアウトする。
【手続補正９】
【補正対象書類名】明細書
【補正対象項目名】００２４
【補正方法】変更
【補正の内容】
【００２４】
定着装置４０を出た用紙Ｐは片面画像形成モードの場合はフラッパ１４の制御により搬送路１５の側に誘導されて排紙トレイ（ＦＤトレイ、排出部）１６上にフルカラーの画像形成物としてフェイスダウン排出（ＦＤ排出）される。或いは、搬送路１７の側に誘導されて排紙トレイ（ＦＵトレイ、排出部）１８上にフェイスアップ排出（ＦＵ排出）される。